(57)【要約】【課題】表示装置における複数のランプの取付及び交換の作業時間を短縮することができるランプ着脱方法を提供する。【解決手段】複数の管状のランプ６の両端部をバックライトシャーシ１３の内側壁１６ａ、１６ｂに設けられたソケット４、４にそれぞれ着脱するランプ着脱方法であって、複数の管状のランプ６を略平行にそれぞれ保持する複数のランプ保持部３４ａ、３４ｂが保持体３２ａ、３２ｂに立設されたランプホルダ３０ａ、３０ｂにより、複数の管状のランプ６を一組にまとめてランプユニット４０を作製した後、ランプユニット４０における複数の管状のランプ６の両端部を案内体２３でソケット４、４に案内してロックし、ランプユニット４０ごとにバックライトシャーシ１３に取り付ける。【選択図】図７
2010080195.tif 000002
【特許請求の範囲】
【請求項１】
複数の管状のランプの両端部をランプ支持部にそれぞれ着脱するランプ着脱方法において、
前記複数のランプを略平行に保持するランプホルダに該複数のランプを保持させて一組にまとめたランプユニットを作製する過程と、
該ランプユニットにおける前記複数のランプの両端部を前記ランプ支持部にそれぞれ着脱する過程と
を有することを特徴とするランプ着脱方法。
【請求項２】
複数の管状のランプの両端部をそれぞれ着脱することが可能なランプ支持部を備える光源装置において、
前記複数のランプを略平行に保持するランプホルダと、
該ランプホルダに保持される前記複数のランプと
からなるランプユニットを有し、
前記ランプ支持部は前記ランプユニットを着脱可能に支持していることを特徴とする光源装置。
【請求項３】
前記ランプホルダは、矩形状の保持体及び該保持体に設けられた複数のランプ保持部を有し、
該複数のランプ保持部は、前記保持体の長手方向と交差する方向に前記複数のランプを略平行に保持しており、
前記ランプユニットにおける前記複数のランプは、前記保持体の長手方向を平行に対向して配置された複数の前記ランプホルダに、該複数のランプの端部を揃えて保持されていることを特徴とする請求項２に記載の光源装置。
【請求項４】
前記ランプ支持部が設けられたシャーシを有し、
前記ランプユニットを取り付ける場合、該ランプユニットにおける前記複数のランプの一方の端部をそれぞれ挿通させて前記ランプ支持部に案内する複数の案内体が、前記シャーシに立設されており、
前記複数の案内体は、前記ランプの一方の端部をそれぞれ支持する前記ランプ支持部に対向していることを特徴とする請求項２又は３に記載の光源装置。
【請求項５】
前記案内体は、前記ランプの一方の端部を挿通させて前記ランプ支持部に案内する案内部を有することを特徴とする請求項４に記載の光源装置。
【請求項６】
前記案内部は、輪状、Ｕ字状又はＣ字状をなしていることを特徴とする請求項５に記載の光源装置。
【請求項７】
前記ランプホルダの位置決めをする係止部が、前記シャーシに設けられており、
前記ランプホルダは前記係止部に係止される被係止部を有することを特徴とする請求項４から６までのいずれか一つに記載の光源装置。
【請求項８】
表示パネルと、該表示パネルに光を照射する前記請求項２から７までのいずれか一つに記載の光源装置とを備える表示装置であって、
前記複数のランプをまとめた前記ランプユニットごとにランプの着脱が可能であることを特徴とする表示装置。
【発明の詳細な説明】
【技術分野】
【０００１】
本発明は、液晶表示用のランプ着脱方法、光源装置及び表示装置に関する。
【背景技術】
【０００２】
近年、液晶ディスプレイ及び液晶テレビジョンなどの液晶表示装置は、表示画面大型化、軽量化及び薄型化が図られており、例えば１００インチの薄型の液晶表示装置が実現されている。
液晶表示装置は液晶表示モジュールを備える。透過型大画面の液晶表示モジュールは、表示画面の液晶表示パネルと、液晶表示パネルの背後から光を透過させる直下型のバックライト装置とからなっている。バックライト装置は冷陰極蛍光管又は熱陰極蛍光管等の管状のランプを複数本備えている。熱陰極蛍光管は冷陰極蛍光管に比べ、ランプの寿命が比較的短いため、熱陰極蛍光管を使用した液晶表示モジュールの場合、ランプ交換が割合頻繁に必要になっている。
【０００３】
図２３は従来の液晶表示装置におけるランプ交換方法を示す説明図である。
液晶表示装置のバックライト装置２は、前面が開口された直方体状の扁平な箱体であるバックライトシャーシ３に、複数の管状のランプ６、６・・を横向き状態で縦方向に並置しており、スタンド７で支持されたリアキャビネット８ｂに収納されている。バックライトシャーシ３の内壁に反射膜３ａが形成されており、内側壁にストレート形放電管用のソケット４が複数個縦並びに対向して設けられている。バックライトシャーシ３の開口部５に光学シート（図示せず）が配置されるようになっている。
【０００４】
図２３に示す例では、バックライト装置２から光学シートを取りはずした後、ランプ６を一本ずつ取り外してランプ交換をしている。例えば１００インチの液晶表示装置ではランプ６の長さが２メートル以上あるため、作業者二人がランプ６の端部をそれぞれ把持し、ランプ６の口金６ａ、６ａを各ソケット４、４に挿入して一本ずつランプ交換をしている。
バックライト装置２を組み立てる場合も同様であり、ランプ６はバックライトシャーシ３のソケット４、４に一本ずつ取り付けられている。
バックライト装置２のランプ６は、例えば二十四本と本数が多く、また一本ずつ取り付け又は取り外しているため、装置組立時及びランプ交換時に多くの作業時間を要している。
【０００５】
この種のランプ交換をする方法として特許文献１の提案がある。
特許文献１に示す液晶表示装置のランプ交換では、交換時の異物付着をなくすために光学シートを取り外すことなく、また作業時間の短縮のために複数本のランプを一度でランプ交換している。即ち特許文献１では、複数本のランプと、各ランプに電源を供給する電源回路部とを支持枠により支持したランプ交換セットを、反射膜及び光学シートが内部に配設された矩形箱状のバックライトシャーシに対して上端部の開口部から抜き差し可能に装着することにより、ランプ交換を簡単に行えるようにしている。
【特許文献１】特開２００４−３４２５５０号公報
【発明の開示】
【発明が解決しようとする課題】
【０００６】
しかしながら従来の特許文献１のようなランプ交換では、ランプ交換セットを抜き差しするためのスペースを要するため、液晶表示装置の設置場所が限定される。また大画面の液晶表示装置にランプ交換セットを設ける場合、バックライト装置の構造が複雑となり、装置が大型化して重量が増え、製造コストの増加につながり、改善の余地がある。
【０００７】
本発明は、このような事情に鑑みてなされたものであって、その目的とするところは、複数の管状のランプを一組にまとめるランプホルダでランプユニットを作製してランプユニットをシャーシに着脱する構成を備えることにより、表示装置における複数のランプの取付及び交換の作業時間を短縮することができるランプ着脱方法、廉価な光源装置及び該光源装置を備えた表示装置を提供することにある。
【課題を解決するための手段】
【０００８】
本発明のランプ着脱方法は、複数の管状のランプの両端部をランプ支持部にそれぞれ着脱するランプ着脱方法において、前記複数のランプを略平行に保持するランプホルダに該複数のランプを保持させて一組にまとめたランプユニットを作製する過程と、該ランプユニットにおける前記複数のランプの両端部を前記ランプ支持部にそれぞれ着脱する過程とを有することを特徴とする。
【０００９】
このような構成の本発明のランプ着脱方法では、複数のランプを取り付ける場合、複数の管状のランプを略平行に保持するランプホルダに該複数のランプを保持させて一組にまとめたランプユニットを作製した後、ランプの両端部をランプ支持部でそれぞれ支持して、ランプユニットとしてまとめて取り付ける。ランプを取り外す場合は、ランプユニットとしてまとめて取り外す。
したがって、本発明のランプ着脱方法では、複数の管状のランプを一組にまとめたランプユニットの着脱をするため、複数のランプの取付及び交換の作業時間が短縮する。
【００１０】
本発明の光源装置は、複数の管状のランプの両端部をそれぞれ着脱することが可能なランプ支持部を備える光源装置において、前記複数のランプを略平行に保持するランプホルダと、該ランプホルダに保持される前記複数のランプとからなるランプユニットを有し、前記ランプ支持部は前記ランプユニットを着脱可能に支持していることを特徴とする。
【００１１】
このような構成の本発明の光源装置では、装置にランプを取り付ける場合又はランプ交換をする場合、複数の管状のランプをランプホルダで一組にまとめたランプユニットを、複数の管状のランプの両端部をランプ支持部でそれぞれ支持して取り付ける。ランプを取り外す場合、ランプユニットとしてまとめて取り外す。
したがって、本発明の光源装置では、複数のランプを一組にまとめて取り付け又は交換して、複数のランプの取付及び交換の作業時間が短縮する。
【００１２】
本発明の光源装置は、前記ランプホルダは、矩形状の保持体及び該保持体に設けられた複数のランプ保持部を有し、該複数のランプ保持部は、前記保持体の長手方向と交差する方向に前記複数のランプを略平行に保持しており、前記ランプユニットにおける前記複数のランプは、前記保持体の長手方向を平行に対向して配置された複数の前記ランプホルダに、該複数のランプの端部を揃えて保持されていることを特徴とする。
【００１３】
このような構成の本発明の光源装置では、複数の管状のランプを一組にまとめたランプユニットの変形を防止し、それぞれのランプを略平行に端部を揃えて維持する。
【００１４】
本発明の光源装置は、前記ランプ支持部が設けられたシャーシを有し、前記ランプユニットを取り付ける場合、該ランプユニットにおける前記複数のランプの一方の端部をそれぞれ挿通させて前記ランプ支持部に案内する複数の案内体が、前記シャーシに立設されており、前記複数の案内体は、前記ランプの一方の端部をそれぞれ支持する前記ランプ支持部に対向していることを特徴とする。
【００１５】
このような構成の本発明の光源装置では、複数のランプを取り付ける場合、複数の管状のランプをランプホルダで一組にまとめてランプユニットを作製した後、シャーシに立設された案内体が、ランプユニットにおける複数のランプの一方の端部をそれぞれ挿通させてランプ支持部に案内する。
【００１６】
本発明の光源装置は、前記案内体は、前記ランプの一方の端部を挿通させて前記ランプ支持部に案内する案内部を有することを特徴とする。
【００１７】
このような構成の本発明の光源装置では、ランプユニットを取り付ける場合、案内体の案内部はランプの一方の端部を挿通させてランプ支持部に案内する。
【００１８】
本発明の光源装置は、前記案内部は、輪状、Ｕ字状又はＣ字状をなしていることを特徴とする。
【００１９】
このような構成の本発明の光源装置では、輪状、Ｕ字状又はＣ字状をなす案内部にランプの一方の端部が挿通し、案内部はランプの端部をランプ支持部に案内する。
【００２０】
本発明の光源装置は、前記ランプホルダの位置決めをする係止部が、前記シャーシに設けられており、前記ランプホルダは前記係止部に係止される被係止部を有することを特徴とする。
【００２１】
このような構成の本発明の光源装置では、ランプユニットを取り付ける場合又は交換をする場合、ランプユニットとして複数の管状のランプを一組にまとめたランプホルダを、該ランプホルダの被係止部を介してシャーシの係止部に押し付けたとき、シャーシの係止部は、ランプホルダの被係止部を係止して、ランプホルダの位置決めをする。ランプホルダの位置決めがされたとき、シャーシにおけるランプユニットの取り付け位置が決まり、ランプユニットがシャーシに的確に取り付けられる。
【００２２】
本発明の表示装置は、表示パネルと、該表示パネルに光を照射する前述の光源装置とを備える表示装置であって、前記複数のランプをまとめた前記ランプユニットごとにランプの着脱が可能であることを特徴とする。
【００２３】
このような構成の本発明の表示装置では、該表示装置に複数の管状のランプを取り付ける場合又はランプ交換をする場合、複数のランプをまとめたランプユニットごとにランプの着脱をして、作業時間が短縮する。
【発明の効果】
【００２４】
本発明のランプ着脱方法は、複数の管状のランプを一組にまとめるランプホルダでランプユニットを作製して、ランプユニットごとに着脱するので、表示装置における複数のランプの取付及び交換の作業時間を短縮することができるという効果を有する。
また本発明の光源装置は、複数の管状のランプをランプホルダで一組にまとめたランプユニットごとに着脱することができるという効果を有する。
したがって、本発明の光源装置では、複数の管状のランプをランプホルダで一組にまとめたランプユニットごとに取り付け又は取り外しをしているので、複数のランプの取付及び交換の作業時間を短縮することができ、ランプ交換の必要な光源装置が廉価になる。
さらに本発明の表示装置では、複数のランプの取付及び交換の作業時間を短縮することができる。
【発明を実施するための最良の形態】
【００２５】
以下、図面に基づき、本発明のランプ着脱方法、光源装置及び表示装置の好適な実施の形態を説明する。本発明の表示装置としては液晶表示装置を例に挙げ、また光源装置としては直下型のバックライト装置を例に挙げて説明する。
【００２６】
（実施の形態１）
図１は実施の形態１に係る液晶表示装置を示す斜視図、図２はバックライト装置の構成を示す分解斜視図である。
液晶表示装置１０は、横長の扁平な直方体状の表示パネル１２及びバックライト装置１４と、これらをそれぞれ収納するフロントキャビネット８ａ及びリアキャビネット８ｂとを有しており、縦姿勢でスタンド７に支持されている。
【００２７】
図２に示すように、本発明の実施の形態１に係るバックライト装置１４は、正面に矩形状の開口部５を有する直方体状の扁平な箱体であるバックライトシャーシ１３に、複数の管状のランプ６、６・・を横向き状態で、縦方向及び略平行に並置している。バックライトシャーシ１３は開口部５を正面側にしてリアキャビネット８ｂに収納されている。
バックライトシャーシ１３の内壁面、即ち後壁１６ｃ及び内側壁１６ａ、１６ｂに反射膜１３ａが形成されており、内側壁１６ａ、１６ｂに複数個のソケット４、４・・が縦並びに設けられている。
【００２８】
ソケット４は冷陰極蛍光管又は熱陰極蛍光管等のストレート形放電管用のソケットであるが、ランプ６の両端部を支持するランプ支持部であってもよい。
即ち、ランプ支持部は、ランプ６を着脱可能又は支持可能なものであれば、放電管用のソケット４であってもよいし、クリップであっても差し支えない。
【００２９】
反射膜１３ａは、例えばアルミニウムなどの光反射性に優れた材料を蒸着することにより形成される。
【００３０】
ランプ６は、矩形状の保持体３２ａ、３２ｂと、それぞれの保持体３２ａ、３２ｂの長手方向に４個立設されたランプ保持部３４ａ、３４ｂとからなるランプホルダ３０ａ、３０ｂに、四本を一組として略三等分された位置に略平行に保持されている（図６を参照、詳細は後述する）。即ち、ランプホルダ３０ａ、３０ｂは、保持体３２ａ、３２ｂの長手方向を平行にして対向して配置されており、ランプ保持部３４ａ、３４ｂは保持体３２ａ、３２ｂの長手方向と交差する方向に複数のランプ６を略平行に保持している。
【００３１】
ランプ６の両端がソケット４、４にロックされた場合、保持体３２ａ、３２ｂの裏面が、バックライトシャーシ１３の後壁１６ｃを、反射膜１３ａを介して押圧し、ランプホルダ３０ａ、３０ｂの動きが規制されるようになっている。
【００３２】
なお、図２では八本のランプ６、６・・が図示されているが、便宜上のものであり、実際は四本のランプ６を一組として二十四本のランプ６、６・・が取り付けられている（図２２参照）。
【００３３】
バックライトシャーシ１３の開口部５の内側の周縁に段部５ａが形成されており、矩形状の光学シート１８が配置される。光学シート１８は、拡散板、拡散シート及びプリズムシートなどの積層体であり、光を散乱及び拡散させて広い面全体を均一な明るさにしている。
【００３４】
光学シート１８の面積より小さな面積の開口部２２ａを有する矩形状の枠体２２が、光学シート１８の周縁部を段部５ａに圧接させ、開口部５の周縁にビス（図示せず）などで取り付けられる。
なお、図２中、符号１３ｂは、枠体２２をバックライトシャーシ１３に固定するためのビス（図示せず）に螺合する雌螺子孔を示す。符号２２ｂは、枠体２２をバックライトシャーシ１３に取り付けるための取付孔を示す。
【００３５】
図３は実施の形態１に係るバックライト装置のソケット及び案内体を示す部分斜視図であり、（ａ）はリング切欠部が略上向きの案内体を示す斜視図、（ｂ）はリング切欠部が正面向きの案内体を示す斜視図である。
バックライト装置１４には、ランプ６をバックライトシャーシ１３に取り付け易くするため、ランプ６をソケット４に案内する案内体２３が設けられている。案内体２３、２３・・は、バックライトシャーシ１３の内側壁１６ａに設けられたソケット４、４・・にそれぞれ対向して縦方向に並設されている。即ち、案内体２３は、ランプ６の一方の端部をロックするソケット４のロック側と対向してバックライトシャーシ１３に立設されている。
【００３６】
案内体２３は、柱状の基部２３ａの先端部に、案内部であるＣ字状のガイドＣリング２４を縦向きに有する。
基部２３ａは、バックライトシャーシ１３から一定距離だけ離間するランプ６の一方の端部をランプ支持部であるソケット４の位置に合わせている。
【００３７】
ガイドＣリング２４はランプ６の一方の端部を水平方向又は上方から挿通させて内側壁１６ａ側に設けられたソケット４のロック側に案内するようになっている。
ガイドＣリング２４のリング切欠部２４ａは、ランプ６の直径よりも大径の寸法で略上向きに形成されており、ランプ６は、上方からリング切欠部２４ａ側を通ることにより、ガイドＣリング２４に載置し易くなっている。
また図３（ｂ）に示すように、案内体２３におけるガイドＣリング２５のリング切欠部２５ａは、正面側からランプ６を載置し易いように、正面向きであっても差し支えない。
【００３８】
図４は他の案内体を示す斜視図であり、（ａ）は輪状の案内体を示す斜視図、（ｂ）はリング切欠部が略上向きのＵ字状の案内体を示す斜視図、（ｃ）はリング切欠部が正面向きの案内体を示す斜視図である。
輪状の案内体２６は、柱状の基部２６ａの先端部に案内部である輪状のガイドリング２６ｂを縦向きに有し、ソケット４に対向している。
ガイドリング２６ｂの内径は、ランプ６を穴２６ｃに挿通し易くするため、ランプ６の直径よりも大径の寸法にしている。
【００３９】
Ｕ字状の案内体２８は、ランプ６を水平方向だけでなく上方からも挿通し易くするため、柱状の基部２８ａの先端部に案内部であるＵ字状のガイドＵリング２８ｂを縦向きに有し、リング切欠部２８ｃを略上向きにしてソケット４に対向している。
また図４（ｃ）に示すように、案内体２８におけるガイドＵリング２９ｂのリング切欠部２９ｃは、正面側からランプ６を載置し易いように、正面向きであっても差し支えない。
【００４０】
案内部は、Ｃ字状、輪状及びＵ字状をなすものを例に挙げたが、管状のランプ６の一端部を挿通させて案内可能であればよく、例えばＬ字状をなすものであってもよい。また案内部は、矩形状、楕円状をなすものであっても差し支えない。
【００４１】
図５は実施の形態１に係るランプホルダを示す斜視図、図６は交換用のランプユニットを示す斜視図である。
ランプホルダ３０は、上述したように矩形状の保持体３２と、保持体３２の長手方向に所定の等間隔で、例えば四個立設されたランプ保持部３４とを有する。
ランプ６による光のムラが発生するのを防止するため、ランプホルダ３０の材料としては透明な樹脂が好ましい。
ランプ保持部３４は、台状の支持台３３と、支持台３３の先端部に設けられた円弧状の弾性変形可能な円弧部３５とを有する。ランプ保持部３４は、円弧部３５を縦向きに有し、管状のランプ６を横向きに保持するようになっている。
【００４２】
円弧部３５の両先端部は、支持台３３と反対側で開いており、外向きに広くなる受け手３６、３６になっている。
支持台３３、３３・・は、板状の連結リブ３７で保持体３２の長手方向に連結されている。
支持台３３及び連結リブ３７は、反射膜１３ａによるランプ６の反射光に対して陰と成らないように透明な材料で薄く形成されており、光の向きと対面しないようにしている。
即ち、支持台３３及び連結リブ３７は、ランプ６の周面の保持体３２側の法線方向と略平行な板状をなしている。
【００４３】
図６に示すように、ランプユニット４０は、ランプ保持部３４ａ、３４ｂを対向させて、一定間隔で平行に配置されたランプホルダ３０ａ、３０ｂに、四本の管状のランプ６、６・・を保持させており、一交換セットになっている。ランプユニット４０は、ランプホルダ３０ａ、３０ｂにより、複数のランプ６を一定間隔で略平行に維持し、変形しないように保持されている。
ランプ６の本数はランプホルダ３０ａ、３０ｂに設けるランプ保持部３４ａ、３４ｂの数で設定される。
なお、図６中、符号６ａはランプ６の口金を示す。
【００４４】
次に実施の形態１に係るバックライト装置１４の組立方法について説明する。
バックライト装置１４の組立方法は、先ず、例えば二個のランプホルダ３０ａ、３０ｂを一定間隔に配置し、例えば四本のランプ６を一組としてランプホルダ３０ａ、３０ｂに保持させてランプユニット４０を作製する（図６を参照）。ランプユニット４０をバックライトシャーシ１３のソケット４に取り付ける場合、ランプユニット４０の一方のランプ６、６・・の端部が、ガイドＣリング２４、２４・・に挿通して案内され、ソケット４、４に取り付けられる（図３を参照）。
【００４５】
ランプユニット４０を取り付ける場合、ランプユニット４０のランプ６を９０度回転させてソケット４、４にロックしたとき、保持体３２ａ、３２ｂの裏面が、バックライトシャーシ１３の後壁１６ｃを、反射膜１３ａを介して押圧し、ランプホルダ３０ａ、３０ｂの動きを規制する。即ち、保持体３２ａ、３２ｂの裏面は押圧部として機能する。
【００４６】
次に、二十四本のランプ６を取り付ける場合、六セットのランプユニット４０をバックライトシャーシ１３に取り付ける。
次いで、光学シート１８の周縁部を段部５ａに載置し、光学シート１８がバックライトシャーシ１３の開口部５を閉塞する。
【００４７】
そして、枠体２２が正面側からバックライトシャーシ１３にビスで固定される。ビスは枠体２２の取付孔２２ｂ、２２ｂ、２２ｂ、２２ｂからバックライトシャーシ１３の雌螺子孔１３ｂ、１３ｂ、１３ｂ、１３ｂに螺合する。
【００４８】
このように実施の形態１に係るバックライト装置１４では、四本のランプ６、６・・を一組にまとめたランプユニット４０を複数セット、バックライトシャーシ１３に取り付けることにより、ランプを取り付ける作業時間を大幅に短縮することができる。また複数本のランプ６を一組とするランプホルダ３０（３０ａ、３０ｂ）は、ランプユニット４０の変形を防止し、振動及び衝撃からランプ６を保護することができる。
【００４９】
例えば表示画面が大画面になり、バックライト装置１４が大型化した場合、実施の形態１に係るバックライト装置１４では、ランプホルダ３０のランプ保持部３４の数を適宜変えるだけで、一組にまとめる複数のランプ６の本数を変えて対応することができる。また一組にまとめたランプユニット４０は、作業者が一人でも容易に着脱することができる。
【００５０】
次に本発明のランプ着脱方法について説明する。
図７は本発明のランプ着脱方法を示す説明図、図８はランプホルダの配置を示す平面図、図９は四本のランプを一組として作製したランプユニットを示す平面図、図１０はランプユニットの取付を示す斜視図、図１１はランプユニットのランプをソケットに挿入するときの概略斜視図である。
本発明のランプ着脱方法は、先ず、一定間隔に、例えば管状のランプ６の長さの略１／３の距離Ｄに、二個のランプホルダ３０ａ、３０ｂのランプ保持部３４ａ、３４ｂを対向させて、保持体３２ａ、３２ｂの長手方向を平行に配置する（図８を参照）。
【００５１】
次に、ランプ保持部３４ａ、３４ｂのそれぞれの受け手３６ａ、３６ｂに、一本の管状のランプ６を当接させて支持台３３ａ、３３ｂ側に押し込んだ場合、ランプ保持部３４ａ、３４ｂの円弧部３５ａ、３５ｂが弾性変形して、ランプ６が円弧部３５ａ、３５ｂに嵌る。
ランプ６が円弧部３５ａ、３５ｂに嵌ったとき、円弧部３５ａ、３５ｂが元の形状に戻り、ランプ保持部３４ａ、３４ｂがランプ６を保持する（図８及び図９を参照）。
【００５２】
次いで、同様にしてランプホルダ３０ａ、３０ｂのランプ保持部３４ａ、３４ｂが、残りの三本のランプ６を保持した場合、一交換セットのランプユニット４０が作製される（図９を参照）。
【００５３】
そして、例えば一人の作業者（図示せず）は、ランプユニット４０の四本のランプ６、６・・の端部を四個のガイドＣリング２４、２４・・に合わせて挿通し（図１０を参照）、概略の取り付け位置を調整する。
【００５４】
ランプ６、６・・をガイドＣリング２４、２４・・に挿通して取り付け位置を調整した後、ランプユニット４０をバックライトシャーシ１３に押し当てた場合、一組にまとめた状態のランプ６、６・・のそれぞれの両端部の口金６ａ、６ａ・・がソケット４、４・・に嵌る。作業者は、ランプユニット４０のランプホルダ３０ａ、３０ｂをバックライトシャーシ１３に押し当てながら、両手に近い一本のランプ６を９０度回転させたとき、ソケット４、４がランプ６の両端部の口金６ａ、６ａをロックする。
【００５５】
次いで、一本のランプ６をソケット４、４にロックした後、他の三本のランプ６をそれぞれ９０度回転し、ソケット４、４・・がランプ６、６・・をロックしたとき（図１１を参照）、ランプホルダ３０ａ、３０ｂの保持体３２ａ、３２ｂの裏面が、バックライトシャーシ１３の後壁１６ｃを、反射膜１３ａを介して押圧し、ランプホルダ３０ａ、３０ｂの動きが規制され、一交換セットのランプユニット４０が、バックライト装置１４に取り付けられる。
【００５６】
そして、バックライト装置１４が二十四本のランプ６を備える場合、四本のランプ６を一組として六セットのランプユニット４０を用意して、ランプ交換をする。
【００５７】
バックライト装置１４のランプ６、６・・を取り外す場合は、ソケット４、４のロックを解除した後、ランプユニット４０ごとにまとめて取り外す。
【００５８】
このように本発明のランプ着脱方法では、複数本のランプ６、６・・をランプユニット４０として一度にまとめて着脱するので、複数のランプ６の取付及び交換における作業時間を大幅に短縮することができる。
【００５９】
なお、実施の形態１では、ランプユニット４０を二個のランプホルダ３０を用いて作製したが、三個以上のランプホルダ３０を用いても差し支えない。
【００６０】
（実施の形態２）
次に実施の形態２について説明する。
実施の形態２では一個のランプホルダで複数のランプ６を一組にまとめてランプユニットを作製したものである。実施の形態２に係るランプホルダは実施の形態１に係るランプホルダ３０のランプ保持部３４における円弧部３５の幅を広くしたものであり、その他の構成は実施の形態１と同様である。
【００６１】
図１２は実施の形態２に係るランプホルダを示す斜視図である。
なお、実質的に同一又は対応する部材には同一符号を用い、以下の他の実施の形態においても同様とした。
実施の形態２に係るランプホルダ４２は、矩形状の保持体３２と、保持体３２の長手方向に一定間隔で、例えば４個立設されたランプ保持部４４とを有する。ランプ保持部４４は、台状の支持台３３と、支持台３３の先端部に設けられた円弧状の弾性変形可能な円弧部４５とを有する。
支持台３３、３３・・は、板状の連結リブ３７で保持体３２の長手方向に連結されている。
【００６２】
ランプ保持部４４は、円弧部４５を縦向きに有し、管状のランプ６を横向きに保持するようになっている。円弧部４５の両先端部は、支持台３３と反対側で開いており、外向きに広くなる受け手４６、４６になっている。円弧部４５の幅Ｗは、保持するランプ６の長手方向に広く形成されており、ランプ６の長手方向の中央部を一個のランプホルダ４２で保持可能になっている。
実施の形態２におけるその他の構成及び作用効果は実施の形態１と同様であるので詳細な説明を省略する。
【００６３】
このような実施の形態２に係るランプホルダ４２では、一個のランプホルダ４２で、例えば四本のランプ６を一組としてまとめたランプユニットをシャーシ１３のソケット４に着脱して（図７を参照）、複数のランプ６の取付及び交換をすることができる。
【００６４】
なお、実施の形態１及び２のランプホルダを適宜組み合わせて複数のランプ６を一組にまとめてランプユニットを作製しても差し支えない。
【００６５】
（実施の形態３）
次に実施の形態３について説明する。
実施の形態１及び２では、ランプホルダ３０、４２の保持体３２をバックライトシャーシ１３の奥部側にして、保持体３２の裏面が、バックライトシャーシ１３の後壁１６ｃを、反射膜１３ａを介して押圧していたが、実施の形態３では、保持体３２をバックライトシャーシ１３の奥部側ではなく、正面側に設けたものである。実施の形態３に係るランプホルダの支持部及び押圧部を除き、その他の構成は実施の形態１と同様である。
【００６６】
図１３は実施の形態３に係るバックライト装置の構成を示す分解斜視図、図１４はバックライト装置におけるランプホルダを示す斜視図、図１５はランプユニットを取り付けた状態を示す図１３のＸＶ−ＸＶ部分断面図である。
実施の形態３に係るバックライト装置５０には、実施の形態３に係るランプホルダ５２（５２ａ、５２ｂ）に四本のランプ６、６・・を一組にまとめたランプユニット６０が、バックライトシャーシ１３に複数セット取り付けられている。
【００６７】
図１４に示すように、ランプホルダ５２は、矩形状の保持体３２と、保持体３２の長手方向に一定間隔で、内側に四個立設されたランプ保持部３４とを有し、保持体３２の長手方向の両端部の一部からランプ保持部３４の立設方向に、矩形状の支持部５６、５６が延出されている。支持部５６、５６の先端部には、Ｕ字状に内向きに湾曲した押圧部５７、５７が形成されている。隣接するランプ６の陰にならないようにするため、支持部５６の幅はランプ保持部３４の幅と同程度にしている。
【００６８】
ランプユニット６０をバックライトシャーシ１３のソケット４に取り付ける場合、ソケット４、４にランプ６の口金６ａ、６ａを挿入してランプユニット６０をロックしたとき、ランプホルダ５２の押圧部５７は、弾性変形して、バックライトシャーシ１３の後壁１６ｃを、反射膜１３ａを介して押圧可能になっている。
【００６９】
実施の形態３では、二個のランプホルダ５２ａ、５２ｂのランプ保持部３４ａ、３４ｂに四本のランプ６、６・・を保持させて、一交換セットのランプユニット６０が、作製される。ランプユニット６０の作製は実施の形態１と同様であるので詳細な説明を省略する。
【００７０】
このような実施の形態３に係るバックライト装置５０では、ランプ交換をする場合、先ず、ランプ６をバックライトシャーシ１３の反射膜１３ａ側に向け、保持体３２の裏面を手前側にして、ランプユニット６０の四本のランプ６、６・・の端部を四個のガイドＣリング２４、２４・・に合わせて挿通し、概略の取り付け位置を調整する。
【００７１】
なお、概略の取り付け位置を調整するとき、ランプホルダ５２ａ、５２ｂの押圧部５７、５７を反射膜１３ａに当接させて、調整しても差し支えない。
【００７２】
次に、概略の取り付け位置を調整した後、ランプユニット６０をバックライトシャーシ１３に押し当てた場合、ランプ６、６・・の口金６ａ、６ａ・・が、ソケット４、４・・に嵌り、ランプホルダ５２ａ、５２ｂの押圧部５７、５７が、反射膜１３ａに当接してバックライトシャーシ１３を押圧する。
【００７３】
次いで、作業者は、押圧部５７、５７を反射膜１３ａに当接させた状態で、それぞれのランプ６を９０度回転させたとき、ソケット４、４がランプ６の両端部の口金６ａ、６ａをロックする。
【００７４】
そして、ソケット４、４がランプ６をロックしたとき、ランプホルダ５２ａ、５２ｂの押圧部５７、５７が、バックライトシャーシ１３の後壁１６ｃを、反射膜１３ａを介して押圧し、ランプホルダ５２ａ、５２ｂの動きが規制され、一交換セットのランプユニット６０が、バックライト装置５０に取り付けられる。
【００７５】
バックライト装置５０のランプ６、６・・を取り外す場合は、ソケット４、４のロックを解除した後、手前側の保持体３２ａ、３２ｂを引き抜き、ランプユニット６０ごとにまとめて取り外す。
【００７６】
このように実施の形態３に係るバックライト装置５０では、ランプホルダ５２の保持体３２を手前側にして保持してランプユニット６０の着脱ができるので、ランプユニット６０の取付作業及び交換作業の作業性が向上する。また複数本のランプ６を一組にまとめたランプユニット６０として着脱するので、複数のランプ６の取付及び交換における作業時間を大幅に短縮することができる。
なお、ランプホルダ５２の保持体３２は、ランプ６による光の影が発生しないように、材料として透明な樹脂で投影面積を小さく形成するのが好ましく、次の実施の形態４における保持体３２についても同様である。
【００７７】
（実施の形態４）
次に実施の形態４について説明する。
実施の形態３に係るランプホルダ５２では、支持部５６、５６の先端部に湾曲した押圧部５７、５７を形成していたが、実施の形態４では支持部５６、５６の先端部に被係止部を形成しており、バックライトシャーシに設けられた係止部でランプホルダの被係止部を係止するようにしたものである。実施の形態４におけるその他の構成は実施の形態３と同様である。
【００７８】
図１６は実施の形態４に係るランプホルダを示す斜視図、図１７はランプユニットを取り付けた状態を示す部分側断面図、図１８はランプユニットを取り付けた状態を示す図１７におけるＡ領域の部分拡大図である。
実施の形態４に係るランプホルダ６２は、矩形状の保持体３２の長手方向に一定間隔で内側に四個立設されたランプ保持部３４を有し、保持体３２の長手方向の両端部の一部からランプ保持部３４の立設方向に、矩形状の支持部５６、５６が延出されている。支持部５６、５６の先端部には、側面視楕円状の突起である被係止部６４、６４が、長径をバックライトシャーシ１３の後壁１６ｃと略平行にして突設されている。
実施の形態４においても隣接するランプ６の陰にならないようにするため、支持部５６の幅はランプ保持部３４の幅と同程度にしている。
【００７９】
図１７に示すように、実施の形態４では、二個のランプホルダ６２ａ、６２ｂのランプ保持部３４ａ、３４ｂに四本のランプ６、６・・を保持させて、一交換セットのランプユニット６３が作製される。ランプユニット６３の作製は実施の形態１と同様であるので詳細な説明を省略する。
【００８０】
ランプホルダ６２の被係止部６４は、バックライトシャーシ１３に弾性変形可能に形成された係止部である係止突起６６に挿脱可能になっている。
図１８に示すように、係止突起６６は、バックライトシャーシ１３の後壁１６ｃを正面側に一部切り起こして湾曲させた一対の湾曲部６６ａ、６６ａからなっており、内側が円弧状になっている。
【００８１】
係止突起６６に被係止部６４が挿着された場合、係止突起６６は、ランプホルダ６２のランプ保持部３４が保持するランプ６の口金６ａをソケット４、４に嵌めるように形成されている。即ち、係止突起６６はランプユニット６３をバックライトシャーシ１３に取り付けるときの位置決めをしている。
【００８２】
このような実施の形態４に係るランプホルダ６２では、四本のランプ６、６・・を一組にまとめたランプユニット６３をバックライトシャーシ１３のソケット４に取り付ける場合、保持体３２を手前側にして、ランプホルダ６２の被係止部６４、６４をバックライトシャーシ１３の係止突起６６、６６に挿着する。
【００８３】
被係止部６４を係止突起６６に挿着する場合、被係止部６４が係止突起６６の先端部を押圧したとき、係止突起６６の先端部が弾性変形して開き、係止突起６６が被係止部６４を係止する。
係止突起６６が被係止部６４を係止したとき、ランプホルダ６２のランプ保持部３４が保持するランプ６の口金６ａ、６ａが、ソケット４、４に嵌る。ランプ６を９０度回転させたとき、ソケット４、４がランプ６の両端部の口金６ａ、６ａをロックする。
【００８４】
ランプ６、６・・を取り外す場合は、ソケット４、４のロックを解除した後、ランプホルダ６２を手前側に引き抜いたとき、係止突起６６の先端部が弾性変形して開き、ランプホルダ６２の被係止部６４が係止突起６６から脱し、係止突起６６が被係止部６４の係止を解除する。係止突起６６の係止解除後、ランプ６、６・・はランプユニット６３ごとにまとめて取り外す。
【００８５】
このように実施の形態４では、複数のランプ６、６・・を一組にまとめたランプユニット６３の被係止部６４をバックライトシャーシ１３の係止突起６６に係止させることにより、ランプユニット６３のバックライトシャーシ１３における位置を的確に決めることができ、複数のランプ６、６・・をランプユニット６３として一度にまとめて取り付け及び交換をすることができ、作業時間を短縮することができる。またバックライトシャーシ１３の係止突起６６は弾性変形するので、係止突起６６に係止されたランプホルダ６２の被係止部６４を容易に取り外すことができ、保守が容易になる。
【００８６】
なお、実施の形態４ではランプホルダ６２の支持部５６の先端部に突起である被係止部６４を設け、バックライトシャーシ１３に係止突起６６を設けたが、逆にしても差し支えない。
【００８７】
（実施の形態５）
次に実施の形態５について説明する。
実施の形態５は、実施の形態１に係るランプホルダ３０の保持体３２の裏面側に被係止部を設けており、バックライトシャーシ１３に設けられた係止部である係止孔でランプホルダを係止するようにしたものである。実施の形態５におけるその他の構成は、実施の形態１と同様である。
【００８８】
図１９は実施の形態５に係るランプホルダの裏面側を示す斜視図、図２０はランプホルダをバックライトシャーシに取り付けた状態を示す概略部分断面図である。
実施の形態５に係るランプホルダ７０は、矩形状の保持体３２と、保持体３２の長手方向に一定間隔で、例えば４個立設されたランプ保持部３４とを有する。ランプ保持部３４が立設された保持体３２の裏面に、茸状の被係止部７２が、一定間隔で、例えば四個突設されている。
ランプホルダ７０の被係止部７２を除く構成は、実施の形態１に係るランプホルダ３０と同様であるので（図５を参照）、詳細な説明を省略する。
【００８９】
図１９に示すように、実施の形態５に係るランプホルダ７０の被係止部７２は、可撓性を有しており、保持体３２の裏面の長手方向に沿って突設されている。被係止部７２は、円柱状の支柱７２ａと、支柱７２ａの先端部に形成されており、弾性変形可能な球状の突起７２ｂとを有する。
【００９０】
被係止部７２は、バックライトシャーシ１３の、例えば丸孔状に形成された係止部である係止孔７３に挿脱可能になっている。図２０に示すように、被係止部７２を係止孔７３に挿入する場合、突起７２ｂは弾性変形して係止孔７３に嵌入して拡開し、係止孔７３の周縁に圧接するようになっている。
バックライトシャーシ１３の係止孔７３は、ランプホルダ７０の被係止部７２が嵌入した場合、ランプホルダ７０のランプ保持部３４が保持するランプ６の口金６ａを、ソケット４、４に嵌めるように形成されている。
【００９１】
このような実施の形態５に係るランプホルダ７０では、四本のランプ６、６・・を一組にまとめたランプユニット７４をバックライトシャーシ１３のソケット４に取り付ける場合、バックライトシャーシ１３の係止孔７３にランプホルダ７０の被係止部７２を嵌入させたとき、被係止部７２の突起７２ｂが、係止孔７３の周縁に拡開する。
【００９２】
被係止部７２の突起７２ｂが拡開したとき、被係止部７２はランプホルダ７０をバックライトシャーシ１３にロックし、ランプホルダ７０のランプ保持部３４が保持するランプ６の口金６ａ、６ａが、ソケット４、４に嵌る。ランプ６を９０度回転させたとき、ソケット４、４がランプ６の両端部の口金６ａ、６ａをロックする。
【００９３】
ランプ６、６・・を取り外す場合は、ソケット４、４のロックを解除した後、ランプホルダ７０を引き抜いてランプユニット７４ごとにまとめて取り外す。
【００９４】
このように実施の形態５では、複数のランプ６、６・・を一組にまとめたランプユニット７４の被係止部７２をバックライトシャーシ１３の係止孔７３に嵌入させることにより、ランプユニット７４の的確な位置決めをすることができ、ランプユニット７４の取り付け及び交換をすることができる。
したがって、実施の形態５では複数のランプ６の取付及び交換の作業時間を大幅に短縮することができる。
【００９５】
なお、実施の形態５ではランプホルダ７０に茸状の被係止部７２を設け、バックライトシャーシ１３に係止孔７３を形成したが、逆にしても差し支えない。即ち、ランプホルダ７０の保持体３２に被係止部の孔を形成し、バックライトシャーシ１３に茸状の係止部を設けるようにしてもよい。
【００９６】
（実施の形態６）
次に実施の形態６について説明する。
実施の形態１から５におけるランプユニット４０、６０、６３、７４は、ランプ６を等間隔に保持するランプ保持部３４が立設されたランプホルダ３０、４２、５２、６２、７０により複数の交換セットを作製していた。
実施の形態６では、ランプホルダにランプ保持部３４が等間隔に立設されているが、ランプホルダごとに、ランプ保持部３４の立設間隔が異なるようにしたものである。
【００９７】
図２１は実施の形態６に係るランプユニットを示す平面図、図２２はバックライト装置を正面方向から視た斜視図である。
なお、図２２に示すバックライト装置８０は、光学シート１８及び枠体２２を取り外したものである（図２又は図１３を参照）。
実施の形態６に係るランプユニット９２は、ランプ保持部３４ａ、３４ｂがそれぞれの保持体３２ａ、３２ｂ上に間隔Ｌで立設されたそれぞれのランプホルダ８２（８２ａ、８２ｂ）に、四本の管状のランプ６、６・・を保持させており、一交換セットになっている。
【００９８】
ランプユニット９４も、同様に、ランプ保持部３４ａ、３４ｂが間隔Ｍで立設されたそれぞれのランプホルダ８４（８４ａ、８４ｂ）に、四本のランプ６、６・・を保持させており、一交換セットになっている。
ランプユニット９６も、ランプ保持部３４ａ、３４ｂが間隔Ｎで立設されたそれぞれのランプホルダ８６（８６ａ、８６ｂ）に、四本のランプ６、６・・を保持させており、一交換セットになっている。
【００９９】
即ち、ランプユニット９２、９４、９６のランプ６の間隔は、それぞれＬ、Ｍ、Ｎにしている。間隔Ｌは間隔Ｍよりも広く、間隔Ｍは間隔Ｎよりも広く形成されている。即ち、間隔の寸法は、Ｌ＞Ｍ＞Ｎの関係になっている。
【０１００】
図２２に示すように、バックライト装置８０は、バックライトシャーシ１３の縦方向の中央部にランプ６の間隔が狭いランプユニット９６、９６を二交換セット取り付けている。
上側のランプユニット９６の上方に、順次、ランプ６の間隔が広くなるように、ランプユニット９４、９２を取り付けている。さらに下側のランプユニット９６の下方に、順次、ランプ６の間隔が広くなるように、ランプユニット９４、９２を取り付けている。
即ち、バックライト装置８０に取り付けられた二十四本のランプ６、６・・は、ランプ６の間隔が中央部から上端部及び下端部に向かうほど広くなるようになっている。
【０１０１】
このような実施の形態６に係るバックライト装置８０では、表示パネル１２を取り付けてランプ６を点灯した場合、図１に示す表示パネル１２の画面の中央部から上端部及び下端部に向かうに従って輝度が徐々に低下する。
したがって、実施の形態６では、表示パネル１２の画面周辺部に対して、画面中央部付近の輝度を高めることにより、視聴者に違和感なく、疲れにくい画像表示にすることができる。
【０１０２】
実施の形態６に係るランプユニット９２、９４、９６の着脱方法は、実施の形態１と同様であるので詳細な説明を省略する。
【０１０３】
なお、実施の形態６に係るランプホルダ８２、８４、８６では、ランプ保持部３４をそれぞれ等間隔に立設したが、ランプ保持部３４の間隔が徐々に増大するように立設してもよい。この場合には、例えば二十四本のランプ６、６・・をバックライト装置に取り付けるとき、中央部から上端部及び下端部に向かうほど徐々にランプ６の間隔が広くなるようにすることができる。
実施の形態６においても実施の形態１におけるような案内体２３を設けるようにしてもよい。
【図面の簡単な説明】
【０１０４】
【図１】実施の形態１に係る液晶表示装置を示す斜視図である。
【図２】バックライト装置の構成を示す分解斜視図である。
【図３】実施の形態１に係るバックライト装置のソケット及び案内体を示す部分斜視図である。
【図４】他の案内体を示す斜視図である。
【図５】実施の形態１に係るランプホルダを示す斜視図である。
【図６】交換用のランプユニットを示す斜視図である。
【図７】本発明のランプ着脱方法を示す説明図である。
【図８】ランプホルダの配置を示す平面図である。
【図９】四本のランプを一組として作製したランプユニットを示す平面図である。
【図１０】ランプユニットの取付を示す斜視図である。
【図１１】ランプユニットのランプをソケットに挿入するときの概略斜視図である。
【図１２】実施の形態２に係るランプホルダを示す斜視図である。
【図１３】実施の形態３に係るバックライト装置の構成を示す分解斜視図である。
【図１４】バックライト装置におけるランプホルダを示す斜視図である。
【図１５】ランプユニットを取り付けた状態を示す図１３のＸＶ−ＸＶ部分断面図である。
【図１６】実施の形態４に係るランプホルダを示す斜視図である。
【図１７】ランプユニットを取り付けた状態を示す部分側断面図である。
【図１８】ランプユニットを取り付けた状態を示す図１７におけるＡ領域の部分拡大図である。
【図１９】実施の形態５に係るランプホルダの裏面側を示す斜視図である。
【図２０】ランプホルダをバックライトシャーシに取り付けた状態を示す概略部分断面図である。
【図２１】実施の形態６に係るランプユニットを示す平面図である。
【図２２】バックライト装置を正面方向から視た斜視図である。
【図２３】従来の液晶表示装置におけるランプ交換方法を示す説明図である。
【符号の説明】
【０１０５】
６  ランプ
４  ソケット（ランプ支持部）
１０  液晶表示装置（表示装置）
１２  表示パネル
１３  バックライトシャーシ（シャーシ）
１４、５０  バックライト装置（光源装置）
２３  案内体
２４、２５  ガイドＣリング（案内部）
２６ｂ  ガイドリング（案内部）
２８ｂ、２９ｂ  ガイドＵリング（案内部）
３０、３０ａ、３０ｂ、４２、５２、５２ａ、５２ｂ、７０  ランプホルダ
３２、３２ａ、３２ｂ  保持体
３４、３４ａ、３４ｂ、４４  ランプ保持部
４０、６０、９２、９４、９６  ランプユニット
６４、７２  被係止部
６６  係止突起（係止部）
７３  係止孔（係止部）
８２、８２ａ、８２ｂ、８４、８４ａ、８４ｂ、８６、８６ａ、８６ｂ  ランプホルダ
【図１】
2010080195.tif 000003
【図２】
2010080195.tif 000004
【図３】
2010080195.tif 000005
【図４】
2010080195.tif 000006
【図５】
2010080195.tif 000007
【図６】
2010080195.tif 000008
【図７】
2010080195.tif 000009
【図８】
2010080195.tif 000010
【図９】
2010080195.tif 000011
【図１０】
2010080195.tif 000012
【図１１】
2010080195.tif 000013
【図１２】
2010080195.tif 000014
【図１３】
2010080195.tif 000015
【図１４】
2010080195.tif 000016
【図１５】
2010080195.tif 000017
【図１６】
2010080195.tif 000018
【図１７】
2010080195.tif 000019
【図１８】
2010080195.tif 000020
【図１９】
2010080195.tif 000021
【図２０】
2010080195.tif 000022
【図２１】
2010080195.tif 000023
【図２２】
2010080195.tif 000024
【図２３】
2010080195.tif 000025